(57)【特許請求の範囲】
【請求項１】
複数のネットワークと接続可能な携帯通信端末であって、
前記複数のネットワークから受信したパケットを保持する保持部と、
前記複数のネットワークそれぞれのフレーム時間に応じて決まる所定待機時間後に前記保持部で保持されているパケットの欠落の有無を判断する欠落判断部と、
前記欠落判断部が欠落有りと判断した場合、欠落したパケットの再送を要求する再送要求部と、
を備えることを特徴とする携帯通信端末。
【請求項２】
前記所定待機時間は、前記複数のネットワークそれぞれのフレーム完了タイミングが実質的に一致する間隔であることを特徴とする請求項１に記載の携帯通信端末。
【請求項３】
前記欠落判断部は、欠落有りと判断した場合、所定時間後さらに追加されたパケットを合わせて欠落の有無を再度判断することを特徴とする請求項２に記載の携帯通信端末。
【請求項４】
前記所定待機時間は、前記複数のネットワークそれぞれのフレーム時間の最小公倍数に相当する時間であることを特徴とする請求項２に記載の携帯通信端末。
【請求項５】
複数のネットワークから並行してパケットを受信する無線通信方法であって、
前記複数のネットワークから受信したパケットを保持し、
前記複数のネットワークそれぞれのフレーム時間に応じて決まる所定待機時間後に前記保持されているパケットの欠落の有無を判断し、
パケットの欠落有りと判断された場合、欠落したパケットの再送を要求することを特徴とする無線通信方法。
【発明の詳細な説明】
【技術分野】
【０００１】
本発明は、複数のネットワークを通じて無線通信可能な携帯通信端末および無線通信方法に関する。
【背景技術】
【０００２】
近年、携帯電話やＰＨＳ(Personal Handy phone System)端末に代表される携帯通信端末が普及し、場所や時間を問わず通話や情報入手が可能となった。特に昨今では、入手可能な情報量も増加の一途を辿り、大容量のデータをダウンロードするため高速かつ高品質なネットワークが取り入れられるようになってきた。
【０００３】
このような携帯通信端末等ノード間の情報伝達を行うネットワーク（他にもネットワークメディアや無線通信方式といった言い方もある。）の一つとして、ＣＤＭＡ（Code Division Multiple Access）やＷｉＭＡＸ（Worldwide Interoperability for Microwave Access）がある。
【０００４】
ＣＤＭＡは、複数の信号にそれぞれ異なる符号を乗算、全ての信号を合成し１つの周波数を用いて送信する方式である。一方、ＷｉＭＡＸは、ＯＦＤＭＡ(Orthogonal Frequency Division Multiplex Access:直交周波数分割多元接続)方式を用いた通信方式の一つであり（例えば、非特許文献１）、ＯＦＤＭ方式は、データの多重化方式の一つに分類され、単位時間軸上で多数の搬送波を利用し、変調対象となる信号波の位相が隣り合う搬送波間で直交するように搬送波の帯域を一部重ね合わせて周波数帯域を有効利用する方式である。
【０００５】
このようなネットワークを単体でのみ用いる場合に限らず、複数のネットワークを並行して利用することでさらなる高速化を図ることができる。かかる構成では、１つのデータから生成された複数のパケットをそれぞれのネットワークに分散して送信することが可能であり、転送速度または帯域がそれぞれのネットワーク単体の場合の和になるといった効果を奏する。
【０００６】
また、特許文献１には、複数のネットワークを利用可能な環境下で、アプリケーションを利用するのに適さないネットワークを除外し１つのネットワークを選択する技術が開示されている（例えば、特許文献１）。
【特許文献１】特開２００６−６０５７９号公報
【非特許文献１】「Mobile WiMAX ? Part I:A Technical Overview and Performance Evaluation」Prepared on Behalf of the WiMAX Forum, February 21, 2006, http://www.intel.com/netcomms/technologies/wimax/WiMAX_Overview_v2.pdf
【発明の開示】
【発明が解決しようとする課題】
【０００７】
通常用いられる通信プロトコルでは、携帯通信端末のリンクレイヤは、ネットワークからパケットを受信し、本来受信すべきパケットが欠落しているとその欠落したパケットの再送要求を行う。こうして再送されたパケットの補完によって完全なデータが再生される。また、上述したように複数のネットワークを通じ、並行してパケットを受信する場合でも、共通のリンクレイヤによってパケットの欠落判断が為され、再送要求が行われる。
【０００８】
しかし、複数のネットワークを１つのデータリンクとして用いた場合、送信されるパケットは複数のネットワークに順次振り分けられ、それぞれ独立して送信されるため、パケットの受信タイミングは非同期となる。従って、パケットが到達する前にそのパケットを欠落していると判断してしまい、パケットの再送を要求してしまうといった問題が生じていた。複数のネットワークにおいて、データ転送方式、通信帯域、通信品質の変動推移等が違うことがその原因である。
【０００９】
例えば、送信側において送信すべきパケットは、再生される時間に従って付されたシリアル番号順に各ネットワークに振り分けられる。このように、振分時には時系列に並んでいるパケットもネットワークが異なると、その送信単位（フレーム）等の違いによって受信時刻に差が生じてしまう。従って、ネットワークによっては、パケットを先に振り分けて送信したが、後に受信されるといった現象が生じ得る。
【００１０】
上記の場合、パケットが欠落しているとリンクレイヤが判断し再送要求を行った後に元のパケットが到達するので、再送要求とそれに対応した再送パケットが無駄になる。このように複数のネットワークからのパケットの欠落を互いに独立して判断していると、不要な再送要求や不要な再送対応パケットの受信が実行されてしまう。
【００１１】
かかる問題は、パケット欠落を判断するまでの待機時間を延長することで解決できるが、欠落判断が終了するまでの間、保持されているパケットを利用できなくなるので、単に待機時間を延長するだけではリアルタイム性を失う結果を招いてしまう。
【００１２】
本発明は、このような問題に鑑み、複数のネットワークを１つのデータリンクとして使用する場合においても、パケット欠落判断のための適切な待機時間により、リアルタイム性を維持しつつ無駄な再送要求を削除し、効率的な無線通信を遂行することが可能な、携帯通信端末および無線通信方法を提供することを目的としている。
【課題を解決するための手段】
【００１３】
上記課題を解決するために、本発明の代表的な構成は、複数のネットワークと接続可能な携帯通信端末であって、複数のネットワークから受信したパケットを保持する保持部と、複数のネットワークそれぞれのフレーム時間に応じて決まる所定待機時間後に保持部で保持されているパケットの欠落の有無を判断する欠落判断部と、欠落判断部が欠落有りと判断した場合、欠落したパケットの再送を要求する再送要求部と、を備えることを特徴とする。
【００１４】
複数のネットワーク間のデータ転送におけるタイムラグにより遅れて受信されるパケットを本来欠落パケットと見なすべきではない。そこで、本発明では、ネットワークにおけるフレーム時間、即ち、パケットが振り分けられてから実際にそのパケットが送信されるまでの時間を考慮し、所定量のパケットの受信が完了するまで再送要求を抑制することで、リアルタイム性を維持しつつ無駄な再送要求を削除し、効率的な無線通信を遂行することが可能となる。
【００１５】
所定待機時間は、複数のネットワークそれぞれのフレーム完了タイミングが実質的に一致する間隔であってもよい。
【００１６】
フレーム完了タイミングが実質的に一致する間隔でパケットの欠落を確認することで、ネットワーク間のフレームの終端の時間差をある程度埋めることができ、無駄な再送要求を削減することが可能となる。
【００１７】
欠落判断部は、欠落有りと判断した場合、所定時間後さらに追加されたパケットを合わせて欠落の有無を再度判断してもよい。
【００１８】
上述したようにフレーム完了タイミングが実質的に一致する間隔単位で所定待機時間を定めると、パケットの誤った欠落判断が為される場合が生じ得る。ここで、欠落判断部は、欠落有りと判断した場合にのみ、いずれか一方のネットワークからフレームをさらに受信し、そのフレームにおける欠落とみなされたパケットの有無を再度判断してから最終的な欠落結果を示す。かかる構成により欠落誤判断を防止すると共に、仮に誤判断があったとしても再送要求を伴うことなく迅速に欠落判断を訂正することが可能となる。
【００１９】
所定待機時間は、複数のネットワークそれぞれのフレーム時間の最小公倍数に相当する時間であってもよい。
【００２０】
フレーム時間の最小公倍数に相当する時間が経過した時点では、各ネットワークのフレーム終端が揃うので受信すべきパケットのタイムラグが吸収され、リアルタイム性を維持しつつ無駄な再送要求を確実に削除することが可能となる。
【００２１】
本発明の代表的な他の構成は、複数のネットワークから並行してパケットを受信する無線通信方法であって、複数のネットワークから受信したパケットを保持し、複数のネットワークそれぞれのフレーム時間に応じて決まる所定待機時間後に保持されているパケットの欠落の有無を判断し、パケットの欠落有りと判断された場合、欠落したパケットの再送を要求することを特徴とする。
【００２２】
上述した携帯通信端末の技術的思想に基づく構成要素やその説明は、当該無線通信方法にも適用可能である。
【発明の効果】
【００２３】
以上説明したように本発明によれば、複数のネットワークを１つのデータリンクとして使用する場合においても、パケット欠落判断のための適切な待機時間により、リアルタイム性を維持しつつ無駄な再送要求を削除し、効率的な無線通信を遂行することが可能となる。
【発明を実施するための最良の形態】
【００２４】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２５】
複数のネットワークを１つのデータリンクとして用いた場合、複数のネットワークそれぞれに振り分けられたパケットが各ネットワークのフレーム時間に従った相異するタイミングで受信される。このような状況下において、従来では、一方のネットワークからのパケットのシリアル番号を参照し、他方のネットワークで未達のパケットを欠落判断してしまうといった現象が生じていた。本実施形態は、このような欠落誤判断による不要な再送要求を削除し、効率的な無線通信を遂行することを目的としている。以下、本実施形態の理解を容易にするため、まず無線通信システム全体を説明し、その後、携帯通信端末の具体的構成を説明する。
【００２６】
（無線通信システム１００）
図１は、無線通信システム１００の概略的な接続関係を示した説明図である。当該無線通信システム１００は、携帯通信端末１１０と、基地局１２０（１２０Ａ、１２０Ｂ）と、ルータ１３０と、ＩＳＤＮ(Integrated Services Digital Network)回線、インターネット、専用回線等で構成される通信網１４０と、アプリケーションサーバ１５０とを含んで構成される。
【００２７】
携帯通信端末１１０は、携帯電話、ＰＨＳ端末、ノート型パーソナルコンピュータ、ＰＤＡ（Personal Digital Assistant）、デジタルカメラ、音楽プレイヤー、カーナビゲーション、ポータブルテレビ、ゲーム機器、ＤＶＤプレイヤー、リモートコントローラ等無線通信可能な様々な電子機器で構成され、ユーザはかかる携帯通信端末１１０を用いてアプリケーションサーバ１５０等を有するサービス事業者から様々なサービスを受けることができる。詳細な構成は後程述べる。
【００２８】
基地局１２０は、携帯通信端末１１０とネットワークを通じて無線通信を確立し、携帯通信端末１１０の他の携帯通信端末との通話や、通信網１４０を通じたデータ通信等を制御する。ここでは、特に基地局１２０ＡはＣＤＭＡによって無線通信を確立し、基地局１２０ＢはＷｉＭＡＸによって無線通信を確立する。本実施形態では、このようにネットワークとしてＣＤＭＡおよびＷｉＭＡＸを挙げているが、かかる場合に限られず、ＷＬＡＮ（Wireless Local Area Network）やＰＨＳ  ＭｏＵ（Memorandum of Understanding）、ＬＴＥ（Long Term Evolution）等様々なネットワークを用いることも可能である。
【００２９】
ルータ１３０は、携帯通信端末１１０から２つのネットワークを通じて入力されたデータを１つに纏めて（１つのデータリンクとして）アプリケーションサーバ１５０に送信し、また、アプリケーションサーバ１５０からのデータを２つのネットワークに適切な転送速度で振り分ける。また、変調方式の変更により転送速度やフレーム時間が変化するとそれに応じてパケットの振り分けも適応的に変化させる。
【００３０】
図２は、ルータ１３０の動作を説明するための説明図である。ここで、数字が付されたボックス１６０はパケットを示し、数字はそのパケットのシーケンス番号を示す。以後、個々のパケットをその数字を用いて例えば１番パケットと呼ぶ。
【００３１】
アプリケーションサーバ１５０から送信されたデータは、ルータ１３０においてパケット化され、図２（ａ）に示すように各ネットワークに振り分けられる。かかる振り分け手順はルータ１３０の実装に依存するが、本実施形態では理解を容易にするため、基地局１２０Ａ即ちＣＤＭＡのネットワークに奇数パケットを、基地局１２０Ｂ即ちＷｉＭＡＸのネットワークに偶数パケットを振り分けている。
【００３２】
ＣＤＭＡではフレーム毎に４つのパケットを含めることができるとすると、８つのパケットを振り分けた図２（ａ）の時点で送信可能なフレーム１７０が生じ、図２（ｂ）のように携帯通信端末１１０に送信される。また、ＷｉＭＡＸではフレーム毎に６つのパケットを含めることができるとすると、図２（ｂ）の時点で送信可能なフレーム１７２が生じ、図２（ｃ）のように追って携帯通信端末１１０に送信される。
【００３３】
かかる図２を参照して理解できるように、各ネットワークに均等にパケットを振り分けた場合であっても、ネットワーク毎のフレーム時間が相異すると、例えば、図２（ｂ）の如く７番パケットが携帯通信端末１１０に到達した後で、図２（ｃ）の如く２番パケットが到達するといった到達順が前後する場合が生じる。かかる課題は後述する携帯通信端末１１０によって解決される。
【００３４】
アプリケーションサーバ１５０は、通信網１４０を通じて携帯通信端末１１０と接続され、携帯通信端末１１０からの要求に応じてデータ転送等様々なサービスを提供する。
【００３５】
（携帯通信端末１１０）
図３は、携帯通信端末１１０のハードウェア構成を示した機能ブロック図であり、図４は、携帯通信端末１１０としての携帯電話を例示した斜視図である。携帯通信端末１１０は、端末制御部２１０と、端末メモリ２１２と、表示部２１４と、操作部２１６と、音声入力部２１８と、音声出力部２２０と、端末無線通信部２２２とを含んで構成される。
【００３６】
端末制御部２１０は、中央処理装置（ＣＰＵ）を含む半導体集積回路により携帯通信端末１１０全体を管理および制御し、端末メモリ２１２のプログラムを用いて、通話機能、メール送受信機能、撮像機能、音楽再生機能、ＴＶ視聴機能も遂行する。端末メモリ２１２は、ＲＯＭ、ＲＡＭ、ＥＥＰＲＯＭ、不揮発性ＲＡＭ、フラッシュメモリ、ＨＤＤ等で構成され、端末制御部２１０で処理されるプログラムや通信データ等を記憶する。
【００３７】
表示部２１４は、液晶ディスプレイ、ＥＬ(Electro Luminescence)等で構成され、端末メモリ２１２に記憶された、または通信網１４０を介してアプリケーションサーバ１５０から提供されるアプリケーションデータ、他のＷｅｂサーバから提供される、Ｗｅｂコンテンツ、アプリケーションのＧＵＩ（Graphical User Interface）等を表示することができる。
【００３８】
操作部２１６は、キーボード、十字キー、ジョイスティック等の可動スイッチで構成され、ユーザの操作入力を受け付ける。
【００３９】
音声入力部２１８は、マイク等の音声認識手段で構成され、通話時に入力されたユーザの音声を携帯通信端末１１０内で処理可能な電気信号に変換する。音声出力部２２０は、スピーカで構成され、携帯通信端末１１０で受信した通話相手の音声信号を音声に変えて出力する。また、着信音や、操作部２１６の操作音、アラーム音等も出力できる。
【００４０】
端末無線通信部２２２は、共通のリンクレイヤにおいてＣＤＭＡやＷｉＭＡＸ等のネットワークを通じた基地局１２０との無線通信を確立し、通信相手との音声通信やアプリケーションサーバ１５０とのデータ通信を遂行する。また、通信対象としての２つのネットワークを例えば、ＣＤＭＡを音声通信として、ＷｉＭＡＸをデータ通信として固定的に配分することもできる。
【００４１】
また、上述した端末無線通信部２２２は、ネットワーク制御部２５０（２５０Ａ、２５０Ｂ）、ネットワークリソース管理部２５２、保持部２５４、欠落判断部２５６、プロトコルスタック部２５８、再送要求部２６０として機能する。
【００４２】
ネットワーク制御部２５０は、それぞれのネットワークとの通信を遂行する。ここで、ネットワーク制御部２５０ＡはＣＤＭＡによる通信を、ネットワーク制御部２５０ＢはＷｉＭＡＸによる通信を確立する。そしてそれぞれ受信したフレームからパケットを取り出し保持部２５４に転送する。
【００４３】
ネットワークリソース管理部２５２は、上位アプリケーションが要求する通信品質に応じたネットワーク制御部２５０のリソース配分を行う。例えば、上位アプリケーションから６Ｍｂｐｓの転送速度によるデータ通信の要求があった場合、ＣＤＭＡとＷｉＭＡＸとにそれぞれ２．４Ｍｂｐｓ、３．６Ｍｂｐｓの転送速度を割り当てることで６Ｍｂｐｓを実現する。このような転送速度の割当により決定されるネットワークそれぞれのフレーム時間を欠落判断部２５６に伝達する。
【００４４】
保持部２５４は、複数のネットワークから受信したパケットを一時的に保持するバッファとして機能する。
【００４５】
欠落判断部２５６は、複数のネットワークそれぞれの転送速度（帯域）およびフレーム長から導かれるフレーム時間に応じて所定待機時間を計算し、計算された所定待機時間後に保持部２５４で保持されている対象パケットの欠落の有無を判断する。
【００４６】
図５は、欠落判断部２５６の動作例を示した説明図である。ここでパケットの表現は図２に従う。例えば、ＣＤＭＡのフレーム時間が４ｍｓｅｃであり、ＷｉＭＡＸのフレーム時間が６ｍｓｅｃであるとする。そして、図２に示したように、基地局１２０ＡからＣＤＭＡを通じた奇数パケットを含むフレームを、基地局１２０ＢからＷｉＭＡＸを通じた偶数パケットを含むフレームを受信すると仮定する。ここで、フレーム時間は、それぞれのネットワーク（ＣＤＭＡ、ＷｉＭＡＸ）における物理レイヤがデータを処理する単位時間を示す。
【００４７】
例えば、図５（ａ）に示す時点においては、ＣＤＭＡを通じたフレーム３１０とＷｉＭＡＸを通じたフレーム３１２が既に受信され、保持部２５４に保持されている。ここでは、１０番および１２番パケットは存在するが、まだフレーム３１４が到達していないので９番および１１番パケットが欠落パケットと判断されてしまう。
【００４８】
本実施形態においては、異なるネットワークのフレーム時間に応じて決定された所定待機時間、例えば、それぞれのフレーム時間の最小公倍数に相当する時間だけ待機する。従って、図５の例では所定待機時間は１２ｍｓｅｃとなる。このような最小公倍数に相当する時間毎のパケット群を１つの処理単位とし、その間に受信されたパケットを対象として欠落を判断すると、図５（ｂ）のように、切りよくフレーム３１０、３１２、３１４、３１６、３１８が受信され、各ネットワークのフレーム３１６、３１８の終端が揃うのでパケットのタイムラグが吸収される。
【００４９】
このように、ネットワークにおけるフレーム時間、即ち、パケットが振り分けられてから実際にそのパケットが送信されるまでの間隔を考慮し、所定量のパケットの受信が完了するまで再送要求を抑制することで、リアルタイム性を維持しつつ無駄な再送要求を削除し、効率的な無線通信を遂行することが可能となる。
【００５０】
また、所定待機時間は、複数のネットワークそれぞれのフレーム完了タイミングが実質的に一致する間隔であってもよい。
【００５１】
図６は、欠落判断部２５６の他の動作例を示した説明図である。ここでもパケットの表現は図２に従う。図６においては、例えば、ＣＤＭＡのフレーム時間が３ｍｓｅｃであり、ＷｉＭＡＸのフレーム時間が１６ｍｓｅｃであるとする。そして、図６では、図５同様、基地局１２０ＡからＣＤＭＡを通じた奇数パケットを含むフレームが、基地局１２０ＢからＷｉＭＡＸを通じた偶数パケットを含むフレームが受信されると仮定する。
【００５２】
上記の条件においても図５同様最小公倍数に相当する時間を計算すると３×１６＝４８ｍｓｅｃを費やしてしまう。後述するプロトコルスタック部２５８は、欠落判断部２５６の欠落判断が終了するまで保持部２５４のパケットを利用することができないので、単純に最小公倍数に相当する時間を用いるとリアルタイム性を失う結果を招く場合がある。しかし、３ｍｓｅｃと１６ｍｓｅｃとの関係から言うと、フレーム時間の大きい１６ｍｓｅｃで欠落を判断したとしても、図６に示すように、そのフレーム間の差分ｄは１ｍｓｅｃであり、最大でも２ｍｓｅｃに収まる。
【００５３】
このように、フレーム完了タイミングが完全には合ってないとしても、実質的に一致する間隔でパケットの欠落を確認することで、ネットワーク間のフレームの終端の時間差をある程度埋めることができ、無駄な再送要求を著しく削減することが可能となる。
【００５４】
また、欠落判断部２５６は、一度欠落有りと判断した場合であっても、所定時間後さらに追加されたパケットを合わせて欠落の有無を再度判断してもよい。
【００５５】
図７は、欠落判断部２５６の他の動作例を示した説明図である。かかる動作は図６の続きとして説明することができる。例えば、図６の状況下で、欠落判断部２５６は、所定待機時間１６ｍｓｅｃ後にパケットの欠落の有無を判断し、仮に３１番パケットが欠落していると判断する。このとき欠落判断部２５６は、直ぐに再送要求を出さず、所定時間、ここでは、フレームの終端が所定待機時間と重なっていないネットワーク側（ＣＤＭＡ側）の１フレーム３２０だけさらに待機し、１フレーム３２０分のパケットが保持部２５４に確保されると、その１フレーム３２０の３１番パケットを処理単位であるパケット群に追加して、追加されたパケット群３２２に対して欠落を判断する。
【００５６】
このように、欠落判断部２５６は、欠落有りと判断した場合にのみ、いずれか一方のネットワークからフレームをさらに受信し、そのフレームにおける欠落とみなされたパケットの有無を再度判断してから最終的な欠落結果を示す。かかる構成により欠落誤判断を防止すると共に、仮に誤判断があったとしても再送要求を伴うことなく、また、最小公倍数に相当する時間待つことなく、高いリアルタイム性を維持して迅速に欠落判断を訂正することが可能となる。
【００５７】
プロトコルスタック部２５８は、欠落判断部２５６がパケットの欠落を検知しなかった場合、保持部２５４からそれまでのパケット群を１つの処理単位として取得し、上位アプリケーションで利用可能なようにスタックする。このとき、パケットの並び替えを行うとしてもよい。
【００５８】
再送要求部２６０は、欠落判断部２５６が欠落を検知した場合、２つのネットワークのうち、より通信品質の高い、安定したネットワークを選択して、そのネットワーク経由で欠落していると判断されたパケットの再送要求を送信する。
【００５９】
以上、説明した携帯通信端末１１０によると、複数のネットワークを１つのデータリンクとして使用する場合においても、パケット欠落判断のための適切な待機時間により、リアルタイム性を維持しつつ無駄な再送要求を削除し、効率的な無線通信を遂行することが可能となる。
【００６０】
（無線通信方法）
次に、複数のネットワークから並行してパケットを受信する無線通信方法を説明する。
【００６１】
図８は、無線通信方法の全体的な流れを示したシーケンス図である。ここでは、基地局１２０Ａおよび１２０Ｂから複数のネットワークを通じてパケットを取得する。具体的には、まず、携帯通信端末１１０が基地局１２０Ａからの１、３、５、７番パケットを受信して保持し（Ｓ４００）、基地局１２０Ｂからの２、４、６、８、１０、１２番パケットを受信して保持する（Ｓ４０２）。同様にして、基地局１２０Ａからの９、１１、１３、１５番パケットを受信して保持し（Ｓ４０４）、時を異ならせて基地局１２０Ａからの１７、１９、２１、２３番パケットを受信して保持し（Ｓ４０６）、基地局１２０Ｂからの１４、１６、１８、２０、２２、２４番パケットを受信して保持する（Ｓ４０８）。
【００６２】
このとき、欠落判断を実行する所定待機時間が経過すると、欠落判断部２５６は、保持部２５４に保持されているパケットの欠落の有無を判断し（Ｓ４１０）、仮に欠落判断部２５６がパケット（２１番パケット）の欠落有りと判断した場合、再送要求部２６０は、より通信品質の高いネットワーク、ここではＷｉＭＡＸを選択して基地局１２０Ｂに対し、欠落した２１番パケットの再送を要求する（Ｓ４１２）。
【００６３】
基地局１２０Ｂは、再送要求に応じて２１番パケットを再送し（Ｓ４１４）、パケットが補完されると、その対象となるパケット群がプロトコルスタック部２５８に伝送される（Ｓ４１６）。
【００６４】
かかる無線通信方法においても、パケット欠落判断のための適切な待機時間により、リアルタイム性を維持しつつ無駄な再送要求を削除し、効率的な無線通信を遂行することが可能となる。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６６】
例えば、上述した実施形態においては、複数の異なるネットワークを挙げて説明しているが、通信経路が複数であれば、同一のネットワークだが接続する基地局が相異する場合や、ネットワークおよび基地局が同一だがＯＦＤＭのようにタイムスロットが相異する場合においても本実施形態を適用することが可能である。
【００６７】
なお、本明細書の無線通信方法における各工程は、必ずしもシーケンス図として記載された順序に沿って時系列に処理する必要はなく、並列的あるいはサブルーチンによる処理を含んでもよい。
【産業上の利用可能性】
【００６８】
本発明は、複数のネットワークを通じて無線通信可能な携帯通信端末および無線通信方法に利用することができる。
【図面の簡単な説明】
【００６９】
【図１】無線通信システムの概略的な接続関係を示した説明図である。
【図２】ルータの動作を説明するための説明図である。
【図３】携帯通信端末のハードウェア構成を示した機能ブロック図である。
【図４】携帯通信端末としての携帯電話を例示した斜視図である。
【図５】欠落判断部の動作例を示した説明図である。
【図６】欠落判断部の他の動作例を示した説明図である。
【図７】欠落判断部の他の動作例を示した説明図である。
【図８】無線通信方法の全体的な流れを示したシーケンス図である。
【符号の説明】
【００７０】
１１０  …携帯通信端末
２５４  …保持部
２５６  …欠落判断部
２６０  …再送要求部
【図１】
0005086176.tif 000002
【図２】
0005086176.tif 000003
【図３】
0005086176.tif 000004
【図４】
0005086176.tif 000005
【図５】
0005086176.tif 000006
【図６】
0005086176.tif 000007
【図７】
0005086176.tif 000008
【図８】
0005086176.tif 000009